(57)【要約】【課題】  簡易に長竿状態と短竿状態とを切り換えることのできる釣り竿を提供する。【解決手段】  二番竿２Ａにおける竿先側端部に、一番竿３の竿尻に印籠式に入り込み嵌合する嵌合筒部２ａを形成する。二番竿２Ａにおける竿尻側端部に、三番竿２Ｂから延出される嵌合筒部２ａを嵌入保持する嵌合孔を形成して、印籠継形態を可能とする。二番竿２Ａにおける竿尻側端部の外周面に、三番竿２Ｂより大径の番手の元竿１が備える嵌合筒部１ａ内に入り込み嵌合固定される嵌合面２ｄを形成して、接続切り換え可能としてある。【選択図】        図１
2006075018.tif 000002
【特許請求の範囲】
【請求項１】
小径竿体から順次大きな径の大径竿体を接続して釣り竿を形成する為に使用される、釣り竿用竿体であって、その竿体における竿先側端部に、前記竿体より次に小さな径の相手側小径竿体の竿尻に入り込み嵌合する嵌合筒部を形成するとともに、前記竿体における竿尻側端部に、前記竿体より次に大きな径の相手側大径竿体から延出される嵌合筒部を嵌入保持する嵌合孔を形成し、前記相手側大径竿体よりさらに大径の竿尻側大径竿体の竿先側端部に嵌合筒部を備えるとともに、前記竿体における竿尻側端部の外周面に、前記嵌合筒部内に入り込み嵌合固定される嵌合面を形成してある釣り竿用竿体。
【請求項２】
小径竿体から順次大きな大径竿体を印籠式に接続して釣り竿を形成する為に使用される釣り竿用竿体であって、その竿体における竿先側端部に、前記竿体より次に小さな径の相手側小径竿体の竿尻に印籠式に入り込み嵌合する嵌合筒部を形成するとともに、前記竿体における竿尻側端部に、前記竿体より次に大きな径の相手側大径竿体から延出される嵌合筒部を嵌入保持する嵌合孔を形成して、印籠継形態を可能とするともに、前記竿体における竿尻側端部の外周面に、前記相手側大径竿体よりさらに大径の竿尻側大径竿体がその竿先側端部に備える嵌合筒部内に入り込み嵌合固定される嵌合面を形成してある釣り竿用竿体。
【請求項３】
小径竿体から順次大きな径の大径竿体を印籠式に接続して釣り竿を形成する為に使用される釣り竿用竿体であって、その竿体における竿尻側端部に、前記竿体より次に大きな径の相手側大径竿体の竿先に印籠式に入り込み嵌合する嵌合筒部を形成するとともに、前記竿体における竿先側端部に、前記竿体より次ぎに小さな径の相手側小径竿体から延出される嵌合筒部を嵌入保持する嵌合孔を形成して、印籠継形態を可能とするともに、前記竿体における竿尻側端部の外周面に、前記相手側大径竿体より大径の竿尻側大径竿体の竿先側端部内に入り込み嵌合固定される外向き嵌合面を形成してある釣り竿用竿体。
【請求項４】
穂先竿、複数本の中竿、元竿を有する釣り竿であって、前記複数本の中竿と元竿の夫々の竿先側端部に、前記中竿又は元竿より次に小さな径の相手側小径竿体の竿尻側端部に印籠式に嵌入固定される嵌合筒部を形成するとともに、前記嵌合筒部の嵌入対象となる前記相手側小径竿体としての穂先竿、及び、複数本の中竿の夫々の竿尻側端部に、前記穂先竿又は中竿より次に大きな径の相手側大径竿体から延出された前記嵌合筒部を嵌入する嵌合孔を形成し、前記穂先竿又は中竿における一部の竿体における前記嵌合孔を形成している竿尻側端部の外周面に、前記相手側大径竿体よりはさらに大径の竿尻側大径竿体に形成された嵌合筒部内に入り込み嵌合する嵌合面を形成し、
各中竿、及び、元竿の竿先側端部に形成された前記嵌合筒部を、これらの竿先側に位置する中竿、及び、穂先竿の竿尻側端部に形成された嵌合孔に嵌入装着して、印籠式に接続して長竿状態を現出し、
前記印籠式に接続して１本の長竿状態を現出する竿体のうちの一部の中竿を取外し、前記取り外した中竿の竿先側に接続されていた小径竿体と前記取り外した中竿の竿尻側に接続されていた竿尻側大径竿体とを、前記竿尻側大径竿体の竿先側端部に形成された嵌合筒部内に前記小径竿体の竿尻側端部に形成された前記嵌合面を嵌入させて接続した１本の短竿状態を現出切換可能に構成してある釣り竿。
【請求項５】
穂先竿、複数本の中竿、元竿を有する釣り竿であって、前記穂先竿、複数本の中竿の夫々の竿尻側端部に、前記穂先竿、中竿より次に大きな径の相手側大径竿体の竿先側端部に印籠式に嵌入固定される嵌合筒部を形成するとともに、前記嵌合筒部の嵌入対象となる前記相手側大径竿体としての複数本の中竿、及び、元竿の夫々の竿先側端部に前記嵌合筒部を嵌入する嵌合孔を形成し、前記穂先竿又は中竿における一部の竿体における前記嵌合筒部を形成している竿尻側端部の外周面に、前記相手側大径竿体よりさらに大径の竿尻側大径竿体の竿先側端部内に入り込み嵌合固定される嵌合面を形成して、
穂先竿、及び、各中竿の竿尻側端部に形成された前記嵌合筒部を、これらの竿尻側に位置する中竿、及び、元竿の竿先側端部に形成された嵌合孔に嵌入して、印籠式に接続して長竿状態を現出し、
前記長竿状態を現出する竿体のうちの一部の中竿を取外し、前記取り外した中竿の竿先側に接続されていた小径竿体と前記取り外した中竿の竿尻側に接続されていた竿尻側大径竿体とを、前記小径竿体の竿尻側端部に形成された嵌合面を前記竿尻側大径竿体の竿先側端部に形成された前記嵌合孔に嵌入させて接続した１本の短竿状態を現出切換可能に構成してある釣り竿。
【発明の詳細な説明】
【技術分野】
【０００１】
本発明は、穂先竿、中竿、元竿個々の竿体同士を接続することによって一本の竿を形成する釣り竿および釣り竿用竿体に関する。
【背景技術】
【０００２】
個々の竿体同士を接続することによって一本の竿を形成する釣り竿としては、並継竿又は印籠継竿がある。この種の竿においては、一番竿（穂先竿）から元竿までの竿体を、順番に接続することで、釣り竿として使用することが予定されている（特許文献１参照）。
【０００３】
【特許文献１】実開平３−１０５２７６号公報（第１図、第２図）
【発明の開示】
【発明が解決しようとする課題】
【０００４】
上記した釣り竿では、一式揃えられている一番竿から元竿全てを接続して使用することになるので、その長さが決まっており、長さを変更することはできなかった。
【０００５】
本発明の目的は、並継式あるいは印籠式の釣り竿であっても、長さを変更することのできる釣り竿および釣り竿用竿体を提供する点にある。
【課題を解決するための手段】
【０００６】
〔構成〕
請求項１に係る発明の特徴構成は、小径竿体から順次大きな径の大径竿体を接続して釣り竿を形成する為に使用される、釣り竿用竿体であって、その竿体における竿先側端部に、前記竿体より次に小さな径の相手側小径竿体の竿尻に入り込み嵌合する嵌合筒部を形成するとともに、前記竿体における竿尻側端部に、前記竿体より次に大きな径の相手側大径竿体から延出される嵌合筒部を嵌入保持する嵌合孔を形成し、前記相手側大径竿体よりさらに大径の竿尻側大径竿体の竿先側端部に嵌合筒部を備えるとともに、前記竿体における竿尻側端部の外周面に、前記嵌合筒部内に入り込み嵌合固定される嵌合面を形成してある点にあり、その作用効果は次の通りである。
【０００７】
〔作用〕
釣り竿を構成する竿体に、相手側小径竿体に対して接続を可能とする嵌合筒部と、相手側大径竿体に対して接続を可能とする嵌合孔を形成して、接続を可能とするとともに、前記嵌合孔を形成した竿尻側端部の外周面に嵌合面を形成して、前記相手側大径竿体より更に大径の竿尻側大径竿体に形成した嵌合筒部内に嵌入させて接続を行うことができるようにしてある。
【０００８】
〔効果〕
このような構成によって、竿体として、隣接する径の竿体だけでなく、その径より大径の竿体とも接続可能なものとすることができた。
【０００９】
〔構成〕
請求項２に係る発明の特徴構成は、小径竿体から順次大きな大径竿体を印籠式に接続して釣り竿を形成する為に使用される釣り竿用竿体であって、その竿体における竿先側端部に、前記竿体より次に小さな径の相手側小径竿体の竿尻に印籠式に入り込み嵌合する嵌合筒部を形成するとともに、前記竿体における竿尻側端部に、前記竿体より次に大きな径の相手側大径竿体から延出される嵌合筒部を嵌入保持する嵌合孔を形成して、印籠継形態を可能とするともに、前記竿体における竿尻側端部の外周面に、前記相手側大径竿体よりさらに大径の竿尻側大径竿体がその竿先側端部に備える嵌合筒部内に入り込み嵌合固定される嵌合面を形成してある点にあり、その作用効果は次の通りである。
【００１０】
〔作用〕
釣り竿を構成する竿体に、相手側小径竿体に対して印籠式の接続を可能とする嵌合筒部と、相手側大径竿体に対して印籠式の接続を可能とする内向き嵌合孔を形成して、通常の印籠式接続を可能とするとともに、さらに、前記嵌合孔を形成した竿尻側端部の外周面に嵌合面を形成して、前記相手側大径竿体より更に大径の竿尻側大径竿体に形成した嵌合筒部内に嵌入させて、接続を行うことができるようにしてある。
【００１１】
〔効果〕
このような構成によって、竿体として、隣接する径の竿体だけでなく、その径より大径の竿体とも接続可能なものとすることができた。
【００１２】
請求項３に係る発明の特徴構成は、小径竿体から順次大きな径の大径竿体を印籠式に接続して釣り竿を形成する為に使用される釣り竿用竿体であって、その竿体における竿尻側端部に、前記竿体より次に大きな径の相手側大径竿体の竿先に印籠式に入り込み嵌合する嵌合筒部を形成するとともに、前記竿体における竿先側端部に、前記竿体より次ぎに小さな径の相手側小径竿体から延出される嵌合筒部を嵌入保持する嵌合孔を形成して、印籠継形態を可能とするともに、前記竿体における竿尻側端部の外周面に、前記相手側大径竿体より大径の竿尻側大径竿体の竿先側端部内に入り込み嵌合固定される外向き嵌合面を形成してある点にあり、その作用効果は次の通りである。
【００１３】
〔作用効果〕
つまり、釣り竿を構成する竿体に、相手側大径竿体に対して印籠式の接続を可能とする嵌合筒部と、相手側小径竿体に対して印籠式の接続を可能とする嵌合孔を形成して、通常の印籠式接続を可能とするとともに、前記相手側大径竿体より更に大径の竿尻側大径竿体に接続を行う外向き嵌合面を、前記嵌合筒部を形成している竿尻側端部の外面に形成することにした。
このような構成によって、竿体として、隣接する径の竿体だけでなく、その径より大径の竿体とも接続可能なものとすることができた。
【００１４】
請求項４に係る発明の特徴構成は、穂先竿、複数本の中竿、元竿を有する釣り竿であって、前記複数本の中竿と元竿の夫々の竿先側端部に、前記中竿又は元竿より次に小さな径の相手側小径竿体の竿尻側端部に印籠式に嵌入固定される嵌合筒部を形成するとともに、前記嵌合筒部の嵌入対象となる前記相手側小径竿体としての穂先竿、及び、複数本の中竿の夫々の竿尻側端部に、前記穂先竿又は中竿より次に大きな径の相手側大径竿体から延出された前記嵌合筒部を嵌入する嵌合孔を形成し、前記穂先竿又は中竿における一部の竿体における前記嵌合孔を形成している竿尻側端部の外周面に、前記相手側大径竿体よりはさらに大径の竿尻側大径竿体に形成された嵌合筒部内に入り込み嵌合する嵌合面を形成し、
各中竿、及び、元竿の竿先側端部に形成された前記嵌合筒部を、これらの竿先側に位置する中竿、及び、穂先竿の竿尻側端部に形成された嵌合孔に嵌入装着して、印籠式に接続して長竿状態を現出し、
前記印籠式に接続して１本の長竿状態を現出する竿体のうちの一部の中竿を取外し、前記取り外した中竿の竿先側に接続されていた小径竿体と前記取り外した中竿の竿尻側に接続されていた竿尻側大径竿体とを、前記竿尻側大径竿体の竿先側端部に形成された嵌合筒部内に前記小径竿体の竿尻側端部に形成された前記嵌合面を嵌入させて接続した１本の短竿状態を現出切換可能に構成してある点にあり、その作用効果は次の通りである。
【００１５】
〔作用効果〕
つまり、複数の中竿の少なくとも一部の中竿に請求項２に係る発明のように印籠継が可能な嵌合筒部を構成するとともに嵌合筒部内に嵌入して接続が可能な嵌合面を形成して、全ての用意された竿体を印籠継ぎに接続することによって、通常の釣り竿長さの状態で使用できる。この状態を長竿状態とする。
中竿の一部を隣接する相手側大径竿体よりは更に大径の竿尻側大径竿体に接続することによって、一部の中竿を使用しない状態を現出でき、通常の釣り竿長さより短いながさで使用できる。この状態を短竿状態とする。
従って、印籠継釣り竿であっても、釣り場の状況や対象魚によって使い分け使用ができる。
【００１６】
請求項５に係る発明の特徴構成は、穂先竿、複数本の中竿、元竿を有する釣り竿であって、前記穂先竿、複数本の中竿の夫々の竿尻側端部に、前記穂先竿、中竿より次に大きな径の相手側大径竿体の竿先側端部に印籠式に嵌入固定される嵌合筒部を形成するとともに、前記嵌合筒部の嵌入対象となる前記相手側大径竿体としての複数本の中竿、及び、元竿の夫々の竿先側端部に前記嵌合筒部を嵌入する嵌合孔を形成し、前記穂先竿又は中竿における一部の竿体における前記嵌合筒部を形成している竿尻側端部の外周面に、前記相手側大径竿体よりさらに大径の竿尻側大径竿体の竿先側端部内に入り込み嵌合固定される嵌合面を形成して、
穂先竿、及び、各中竿の竿尻側端部に形成された前記嵌合筒部を、これらの竿尻側に位置する中竿、及び、元竿の竿先側端部に形成された嵌合孔に嵌入して、印籠式に接続して長竿状態を現出し、
前記長竿状態を現出する竿体のうちの一部の中竿を取外し、前記取り外した中竿の竿先側に接続されていた小径竿体と前記取り外した中竿の竿尻側に接続されていた竿尻側大径竿体とを、前記小径竿体の竿尻側端部に形成された嵌合面を前記竿尻側大径竿体の竿先側端部に形成された前記嵌合孔に嵌入させて接続した１本の短竿状態を現出切換可能に構成してある点にあり、その作用効果は次の通りである。
【００１７】
〔作用効果〕
つまり、複数の中竿の少なくとも一部に請求項２に係る発明のように印籠継が可能な構成とともに嵌合筒部内に嵌入して接続が可能な外向き嵌合面を形成して、印籠式に全ての用意された竿体を接続することによって、通常の釣り竿長さの状態で使用できる。この状態を長竿状態とする。
中竿の一部を隣接する竿尻側の相手側大径竿体よりは更に大径の竿尻側大径竿体に接続することによって、一部の中竿を使用しない状態を現出でき、通常の釣り竿長さより短い長さで使用できる。この状態を短竿状態とする。
従って、印籠式釣り竿であっても、釣り場の状況や対象魚によって使い分け使用ができる。
【発明を実施するための最良の形態】
【００１８】
ルアー竿として使用される釣り竿Ａについて説明する。
釣り竿Ａは、図１に示すように、元竿１、複数の中竿２、穂先竿３とを夫々糸ガイド４を備えて印籠接続式の竿に構成してあり、元竿１の中間部にリールＢを取り付けるリールシート５を外嵌装着してある。ここに、元竿１、中竿２、穂先竿３を竿体と称する。
【００１９】
各竿１，２，３は、基本的には、ガラス繊維かカーボン繊維等の強化繊維にエポキシ等の熱硬化性樹脂を含浸させて形成したプリプレグをマンドレルに巻回して筒状に形成した竿素材を焼成して形成される。
【００２０】
各竿の継構造について説明する。
本釣り竿Ａでは基本構成として「印籠継ぎ」と呼ばれる接続構造を使用している。つまり、図１及び図３に示すように、二番竿２Ａの竿先側端部には、一番竿３の竿尻側端部に入り込んで接続状態を現出する嵌合筒部２ａが突出形成してある。この嵌合筒部２ａは、二番竿２Ａの玉口２ｂに内嵌する小径の筒体であり、二番竿２Ａと同様の樹脂材料で同様の製作方法で製作されており、二番竿２Ａの玉口２ｂに内嵌した状態で接着固定される。
【００２１】
図１及び図３に示すように、一番竿３の竿尻側端部には、嵌合筒部２ａを嵌入装着固定する嵌合孔３ｃを形成してある。このような構成により、嵌合筒部２ａを嵌合孔３ｃ内に嵌入した状態で、嵌合筒部２ａの外周面が嵌合孔３ｃの内周面に圧接し、一番竿３と二番竿２Ａとの接続が行われる。この接続状態で、二番竿２Ａの玉口２ｂ先端面が一番竿３の竿尻側端部の端面に当接し、玉口２ｂ先端面と一番竿３の竿尻側端部の外周面同士が段差なく接続される。
【００２２】
ここまでは、一番竿３と二番竿２Ａとの間での印籠式接続構造について説明したが、二番竿２Ａと三番竿２Ｂ、及び、三番竿２Ｂと元竿１との間にも同様の印籠式の接続構造が形成されている。つまり、三番竿２Ｂの竿先側端部に嵌合筒部２ａを突設し、この嵌合筒部２ａが嵌入する嵌合孔２ｃを二番竿２Ａの竿尻側端部に設けてある。また、図２に示すように、三番竿２Ｂの竿尻側端部に、元竿１の竿先側端部に形成した嵌合筒部１ａを嵌入保持する嵌合孔２ｃを形成してある。
【００２３】
以上のような構成より、前記した穂先竿３から元竿１までを印籠式に接続することによって、印籠式の長竿状態を現出できる。
【００２４】
次に、三番竿２Ｂを使用しない短竿状態に設定する構造について説明する。図１（ロ）及び図４に示すように、竿先側端部から嵌合筒部２ａを形成するとともに、竿尻側端部に三番竿２Ｂの嵌合筒部２ａを嵌入する嵌合孔２ｃを形成してある二番竿２Ａにおいて、前記嵌合孔２ｃを形成する竿尻側端部の外周面に嵌合面２ｄを形成する。一方、元竿１の嵌合筒部１ａの内面に、嵌合孔１ｃを形成し、前記二番竿２Ａの嵌合面２を、元竿１の嵌合筒部１ａの内向きの嵌合孔１ｃ内に差込み嵌入して、接続すべく構成する。
【００２５】
以上のような構成により、三番竿２Ｂを使用しない釣竿を構成できる。つまり、図１（ロ）に示すように、一番竿３と二番竿２Ａとは印籠式に接続するとともに二番竿２Ａと元竿１とを接続することによって、三番竿２Ｂを使用しない短竿状態を現出できる。このように長竿状態と短竿状態とを切り替えることが可能になり、実際の釣り状況に適応した竿長さを選択できる。
【００２６】
〔別実施形態〕
（イ）  図５に示すように、嵌合筒部３ａ、２ａを、一番竿３、中竿２の竿尻側端部に形成した状態を示す。つまり、前記した実施形態においては、嵌合筒部３ａ、２ａを各竿体の竿先側端部に形成したが、ここでは竿尻側端部に形成する。製作方法としては、前記したように、嵌合筒部３ａ，２ａを各竿体とは別個に構成してその竿尻側端部の開口内に差し込んで接着固定する方法を採る。
【００２７】
ここで、中竿２を使用しないで短竿状態に切り換える構造を如何に構成するかであるが、上記した方式とは同様の構成を採ることができないので、つぎのような構成を採ることにする。図５（ロ）及び図６に示すように、二番竿２Ａの竿尻側端部から嵌合筒部２ａを突設するとともに、嵌合筒部２ａを嵌入保持する竿尻側端部の外周面に元竿１の竿先側端部の嵌合孔１ｂに嵌入保持される外向き嵌合面２ｄを形成する。この内向き嵌合孔１ｂは、三番竿２Ｂの嵌合筒部２ａを嵌入保持する内向き嵌合孔１ｂである。
【００２８】
このような構成によって、三番竿２Ｂを外して二番竿２Ａを直接元竿１に接続するために、二番竿２Ａの竿尻側端部の外向き嵌合面２ｄを元竿１の竿先側端部の内向き嵌合孔１ｂを嵌入保持させて接続する。この場合に、二番竿２Ａの竿尻側端部から突設されている嵌合筒部２ａは元竿１内に位置して隠されることになる。
【００２９】
一方、二番竿２Ａと一番竿３とは、一番竿３の竿尻側端部から突設されている嵌合筒部３ａを二番竿２Ａの竿先側端部に形成されている嵌合孔２ｃに嵌入圧接させて印籠式の接続を行うようにしてある。以上のように、三番竿２Ｂを使用しない短竿状態に切り替えることができる。
（ロ）  上記した長竿状態と短竿状態とに切換る釣り竿Ａの使用竿体本数としては、４本のもの限定されず、３本以上のものであればよい。短竿状態を形成する対象竿として二番竿２Ａを選定したが、二番竿２Ａ以外の中竿２、又は、穂先竿３に上記構成を施してもよい。さらには、一本の竿体だけを外して長竿状態から短竿状態としたが、例えば、６本組の釣り竿Ａであれば、三番竿２Ｂと四番竿とを取り外し、二番竿２Ａを五番竿に接続する構成を採ってもよい。
（ハ）  上記した場合には、嵌合筒部２ａを二番竿２Ａと別個に形成することにしたが、図７に示すように、二番竿２Ａの竿先側端部に縮小径部を一体形成して、その縮小径部を嵌合筒部２ａと同様に機能させてもよい。
この場合に、一番竿３の竿尻側端部には、前記縮小径部２ａを嵌入する内嵌合孔３ｃを形成するとともに、内嵌合孔３ｃの先端部に前記縮小径部２ａより竿尻側に設けられたテーパ面２ｅに密着嵌合する内向きテーパ面３ｅを設けてある。
（ニ）  図８に示すように、一番竿３、及び、中竿２における竿尻側端部に形成した嵌合孔２ｃ、３ｃにおいて、その内嵌合孔２ｃ、３ｃの内側に、綿・ポリエステル等の非高強度繊維を含む樹脂層２ｆ、３ｆを装着してもよい。これによって、この樹脂層２ｆ、３ｆ内にダボ式嵌合筒部２ａを挿入する際の挿入が円滑で操作感をソフトなものにできる。
【図面の簡単な説明】
【００３０】
【図１】嵌合筒部を各竿体の竿先側端部に設けた状態を示す印籠継の釣り竿の分解した状態を示す側面図であり、（イ）は長竿状態、（ロ）は短竿状態を示す
【図２】図１（イ）における元竿と三番竿との接続状態を示す縦断側面図
【図３】図１（イ）における二番竿と三番竿との接続状態を示す縦断側面図
【図４】図１（ロ）における二番竿と元竿との接続状態を示す縦断側面図
【図５】嵌合筒部を各竿体の竿尻側端部に設けた状態を示す印籠継の釣り竿の分解した状態を示す側面図であり、（イ）は長竿状態、（ロ）は短竿状態を示す
【図６】図５（ロ）における二番竿と元竿との接続状態を示す縦断側面図
【図７】嵌合筒部の別実施構造を示す縦断側面図
【図８】嵌合筒部を嵌入する嵌合孔の別実施構造を示す縦断側面図
【符号の説明】
【００３１】
１            元竿
１ａ，２ａ    嵌合筒部
２            中竿
２Ａ          二番竿
２Ｂ          三番竿
２ｃ，３ｃ    嵌合孔
２ｄ          嵌合面
３            穂先竿（一番竿）
【図１】
2006075018.tif 000003
【図２】
2006075018.tif 000004
【図３】
2006075018.tif 000005
【図４】
2006075018.tif 000006
【図５】
2006075018.tif 000007
【図６】
2006075018.tif 000008
【図７】
2006075018.tif 000009
【図８】
2006075018.tif 000010